【事件の表示】
　特願２０１８−　７１９７５「操作装置、操作装置を備える画像処理装置、及び、その操作装置における情報表示方法」拒絶査定不服審判事件〔平成３０年　９月１３日出願公開、特開２０１８−１４２３３７〕について、次のとおり審決する。
【結　論】
　本件審判の請求は、成り立たない。
【理　由】
第１　手続の経緯
　本願は、平成２２年５月１４日に出願した特願２０１０−１１１６９３号の一部を、平成２６年３月３日に新たな特許出願とした特願２０１４−０４０４４９号の一部を、平成２７年１１月１６日に新たな特許出願とした特願２０１５−２２３７４０号の一部を、平成２９年１月３０日に新たな特許出願とした特願２０１７−０１４３６６号の一部を、平成３０年４月４日に新たな特許出願としたものであって、その手続の経緯は以下のとおりである。
　平成３０年１２月　５日付け：拒絶理由通知書
　平成３１年　２月　７日　　：意見書、手続補正書の提出
　令和　元年　６月１７日付け：拒絶査定
　令和　元年　９月２０日　　：審判請求書、手続補正書の提出
第２　令和元年９月２０日にされた手続補正についての補正の却下の決定
［補正の却下の決定の結論］
　令和元年９月２０日にされた手続補正（以下「本件補正」という。）を却下する。
［理由］（補正の適否の判断）
１　本件補正について（補正の内容）
　本件補正により、特許請求の範囲の請求項１の記載は、次のとおり補正された（下線部は、補正箇所である。）。
（１）本件補正後の特許請求の範囲
「【請求項１】
　選択可能な複数の動作モードを持つ装置に備えられ、選択された動作モードに対応する情報を表示するための表示手段を含む操作装置であって、
　前記表示手段は、キャンセル機能及びストップ機能のトリガーとなるソフトウェアキーを表示し、
　前記操作装置はさらに、いずれの動作モードが選択された場合でも、前記ソフトウェアキーの表示位置
及び表示サイズ
　前記表示制御手段は、選択された動作モードの状態がデフォルト状態である場合には、前記表示手段に対し、前記ソフトウェアキーを選択操作が不可能な状態で表示させ、選択された動作モードの状態が非デフォルト状態である場合には、前記表示手段に対し、前記ソフトウェアキーを選択操作が可能な状態で表示させる、操作装置。」
（２）本件補正前の特許請求の範囲
　「【請求項１】
　選択可能な複数の動作モードを持つ装置に備えられ、選択された動作モードに対応する情報を表示するための表示手段を含む操作装置であって、
　前記表示手段は、キャンセル機能及びストップ機能のトリガーとなるソフトウェアキーを表示し、
　前記操作装置はさらに、いずれの動作モードが選択された場合でも、前記ソフトウェアキーの表示位置を維持するように、前記表示手段の表示を制御する表示制御手段を含み、
　前記表示制御手段は、選択された動作モードの状態がデフォルト状態である場合には、前記表示手段に対し、前記ソフトウェアキーを選択操作が不可能な状態で表示させ、選択された動作モードの状態が非デフォルト状態である場合には、前記表示手段に対し、前記ソフトウェアキーを選択操作が可能な状態で表示させる、操作装置。」
２　補正の適否
　本件補正は、本件補正前の請求項１に記載された発明を特定するために必要な事項である「いずれの動作モードが選択された場合でも、前記ソフトウェアキーの表示位置を維持するように、前記表示手段の表示を制御する表示制御手段」について、「いずれの動作モードが選択された場合でも、前記ソフトウェアキーの表示位置
及び表示サイズ
　また、本件補正は、出願当初の明細書の段落【００３４】、【図５】、及び、【図６】の記載からみて、出願当初の明細書及び図面の範囲内の補正であり、特許法１７条の２第３項の規定に適合するものである。
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１） 補正後の本願発明（本件補正発明の認定）
　本件補正発明は、上記１（１）に記載したとおりのものである。
（２） 引用文献１の記載及び引用発明
　原査定の拒絶の理由において引用された、特開昭６３−２３１４６４号公報（以下、「引用文献１」という。）には、以下のとおり記載されている（下線は当審で追加。）。
ア　「（実施例）
　以下に本発明の実施例を詳細に説明する。
　第１図に示す
複合機器１は、長方形状の入力部である透明タッチパネル８ａとこの透明タッチパネル８ａに対向した形状の表示部である平面型ディスプレイ８ｂとの一体構造からなる複合表示及び入力装置８と、
メモリ２００から前記制御プログラムを取込み複合表示及び入力装置８の透明タッチパネル８ａに対するキー入力領域の設定及びキー入力信号の転送を行うと共に平面型ディスプレイ８ｂに対して後述するような各種の表示を行う制御手段としてのコントローラ２とを有して構成されている。
イ　「次に、上記構成の複合機器１の作用を、複合表示及び入力装置８における各種入力操作情報の表示態様及びこの表示態様に対応するキー入力位置の設定態様を主にして説明する。
　この複合機器１を起動すると、
コントローラ２は
複合機器１が複写（ＣＯＰＹ）モードをイニシャルに設定していれば、
制御プログラムを取込み、
複写（ＣＯＰＹ）モードの入力操作情報及びこの入力操作情報に対応するキー入力位置を表示する
　すなわち、まず平面型ディスプレイ８ａに枠のラインＬを表示し、ざらにこの枠のラインＬの左隅部にモード欄９を表示する。このモード欄９は、モード（ＭＯＤＥ）の文字と、四角形状の４個の枠を少しずつ位置をずらして重ね合せた部分とから構成している。そして、重ね合せ状態の各粋には上から順に複写（ＣＯＰＹ）、ファクシミリ（ＦＡＸ）、プリンタ（ＰＲＩＮＴＥＲ）、スキャナ（ＳＣＡＮＮＥＲ）の文字をそれぞれ表示する。また、コントローラ２は、このモード欄９全域にタッチ領域（指で押圧するとその押圧力を電気信号に変換する領域）を設定する。
　次に、コントローラ２はモード欄９の右隣りにコピー仕様欄１０を表示する。」（第３頁左上欄第１１行−右上欄第１６行）
ウ　「コントローラ２は、さらにコピー仕様欄１０の右隣りに、倍率モード欄１１を表示する。」（第３頁左下欄第６行−第７行）
エ　「次にコントローラ２は、倍率モード欄１１の右隣りに写真モード欄１２及び編集モード欄１３を上下配置に表示する。」（第３頁左下欄第１５行−第１７行）
オ　「さらにコントローラ２は、写真モード欄１２及び編集モード欄１３の右隣りにメッセージ欄１４及び画像濃度欄１６を表示する。」（第３頁右下欄第２行−第４行）
カ　「
次にコントローラ２は、画像濃度欄１６の下側に、クリア／ストップ（Ｃ／Ｓ）欄１７を縦５ｍｍ程度、横５ｍｍ以上の大きさで表示する
さらに、コントローラ２は、メッセージ欄１４の下側で平面型ディスプレイ８ｂの右下隅部にプリント欄１８を複写紙の図形を付して表示すると共に、前記メッセージ欄１４の右上隅部にヘルプ（ＨＥＬＰ）欄１５を表示する。
　このような平面型ディスプレイ８ｂに対する各欄の表示と並行して、コントローラ２は制御プログラムに基づき透明タッチパネル８ａにも制御信号を送り、コピー使用欄１０の複写紙サイズ１０ｂ、枚数入力キー１０ｅの領域、倍率モード欄１１の倍率入力キー１１ｃの領域、写真モード欄１２の全域、編集モート欄１３の全域、ヘルプ欄１５の全域、画像濃度欄１６の薄コピー表示部１６ａ、オート表示部１６ｂ、濃コピー表示部１６ｃの各領域、
クリア／ストップ欄１７の全域
に
タッチ領域を設定する。
キ　「次に、
複合機器１によりファクシミリ送信を行う場合
　この場合には、
モード欄９を指により１回押圧
すると、コントローラ２は
モード欄９の位置にファクシミリ（ＦＡＸ）の文字を付した枠を最上部とするモード欄５６を表示する。このとき、上述した場合と同様な制御動作の基に、モード欄５６全域にタッチ領域を設定する。
　
次に、コントローラ２は
メッセージ欄６５下側領域におけるクリア／ストップ欄６７の表示とこの欄に対するタッチ領域の設定
を行う
　
この
ファクシミリ送信モードにおいて、
クリア／ストップ欄６７による入力操作領域は複写モードにおけるクリア／ストップ欄１７による入力操作領域と同一の位置に
設定されるので、この装置のオペレータは操作モードがファクシミリ送信モードに変化した場合にも、これらの入力操作領域の認識が容易となり、操作効率が向上
ク　「次に、
ファクシミリ受信モードについて
この場合には、前記送信・受信切換欄５７を指で押圧する。すると、コントローラ２は、制御プログラムに基づいて一旦第５図に示す表示態様をクリアした後、まず、第６図に示すような枠のラインＬを表示する。さらにコントローラ２は、このラインＬの左上隅部に前記モード欄５６と同様なモード欄６９を表示し、かつ、このモード欄６９に対するタッチ領域の設定を行うと共に、前記送信・受信切換欄５７の代りにファクシミリ受信モードを示す送信・受信切換欄７０を表示し、かつ、この欄にタッチ領域の設定を行う。」（第５頁左上欄第８行−第２０行）
ケ　「さらに、
コントローラ２は、
ストップ／クリア欄６７と同等の大きさ及び配置のクリア／ストップ欄７５の表示とタッチ領域の設定
を行う。
　このファクシミリ受信モードの場合においても、モード欄６９、ヘルプ欄７４、クリア／ストップ欄７５はそれぞれ前記複写モードにおけるモード欄９、ヘルプ欄１５、クリア／ストップ欄１７と同一の位置に設定されるので、これら各欄のオペレータによる認識は容易となる。」（第５頁右上欄第５行−第１９行）
コ　「次に、
プリンタモードについて
複写モードの表示態様の状態において、モード欄９を指で２回押圧する。
　
すると、コントローラ２は、
さらにコントローラ２は、
前記モード欄９と同様の大きさ及び配置にモード欄８８を表示し、かつ、このモード欄８８に対するタッチ領域の設定を行う。
サ　「
次に、コントローラ２は、
クリア／ストップ欄１７
とそれぞれ同様な大きさ及び配置状態で、
クリア／ストップ欄９３
を表示し、かつ、タッチ領域が必要な部分に
タッチ領域の設定を行う。
　
このプリントモードの場合においても
クリア／ストップ欄９３は
複写モードにおける
クリア／ストップ欄１７と
同一の位置に設定されるので、これら各欄に対するオペレータの認識は容易となり、操作効率が向上
シ　「次に、
スキャナモードについて
　この場合には、第３図に示す
複写モードの表示態様の状態から、モード欄９を３回押圧する。
　
このとき、
さらに、
コントローラ２は前記モード欄９又は８８と同様なモード欄９５を表示し、かつ、このモード欄９５に対するタッチ領域の設定を行う。
ス　「
さらに、コントローラ２は、
クリア／ストップ欄１０２
を、前記複写モードの場合と同様な動作のもとに表示すると共に、
クリア／ストップ欄１０２
に対するタッチ領域の設定を行う。
　
このスキャナモードにおいても、モード欄９５、
クリア／ストップ欄１０２は、それぞれ複写モードにおける対応する各欄と同一の位置に設定され
るので、オペレータの認識が容易で操作効率が向上する
　セ　したがって、引用文献１には、次の発明（以下「引用発明」という。）が記載されていると認められる。
「複合機器１は、長方形状の入力部である透明タッチパネル８ａとこの透明タッチパネル８ａに対向した形状の表示部である平面型ディスプレイ８ｂとの一体構造からなる複合表示及び入力装置８と、メモリ２００から前記制御プログラムを取込み複合表示及び入力装置８の透明タッチパネル８ａに対するキー入力領域の設定及びキー入力信号の転送を行うと共に平面型ディスプレイ８ｂに対して後述するような各種の表示を行う制御手段としてのコントローラ２とを有して構成され、（上記ア参照。）
　コントローラ２は、複合機器１が複写（ＣＯＰＹ）モードをイニシャルに設定していれば、制御プログラムを取込み、複写（ＣＯＰＹ）モードの入力操作情報及びこの入力操作情報に対応するキー入力位置を表示し、次にコントローラ２は、画像濃度欄１６の下側に、クリア／ストップ（Ｃ／Ｓ）欄１７を縦５ｍｍ程度、横５ｍｍ以上の大きさで表示し、クリア／ストップ欄１７の全域にタッチ領域を設定し、（上記イ、カ参照。）
　複合機器１によりファクシミリ送信を行う場合、モード欄９を指により１回押圧すると、コントローラ２はモード欄９の位置にファクシミリ（ＦＡＸ）の文字を付した枠を最上部とするモード欄５６を表示し、このとき、上述した場合と同様な制御動作の基に、モード欄５６全域にタッチ領域を設定し、次にコントローラ２は、メッセージ欄６５下側領域におけるクリア／ストップ欄６７の表示とこの欄に対するタッチ領域の設定を行い、このファクシミリ送信モードにおいて、クリア／ストップ欄６７による入力操作領域は複写モードにおけるクリア／ストップ欄１７による入力操作領域と同一の位置に設定されるので、この装置のオペレータは操作モードがファクシミリ送信モードに変化した場合にも、これらの入力操作領域の認識が容易となり、操作効率が向上し、（上記キ参照。）
　ファクシミリ受信モードについて、コントローラ２は、ストップ／クリア欄６７と同等の大きさ及び配置のクリア／ストップ欄７５の表示とタッチ領域の設定を行い、（上記ク、ケ参照。）
　プリンタモードについて、複写モードの表示態様の状態において、モード欄９を指で２回押圧すると、コントローラ２は、前記モード欄９と同様の大きさ及び配置にモード欄８８を表示し、かつ、このモード欄８８に対するタッチ領域の設定を行い、次に、コントローラ２は、クリア／ストップ欄１７と同様な大きさ及び配置状態で、クリア／ストップ欄９３を表示し、かつ、タッチ領域が必要な部分にそれぞれタッチ領域の設定を行い、このプリントモードの場合においても、クリア／ストップ欄９３は、複写モードにおけるクリア／ストップ欄１７と、同一の位置に設定されるので、各欄に対するオペレータの認識は容易となり、操作効率が向上し、（上記コ、サ参照。）
　スキャナモードについて、複写モードの表示態様の状態から、モード欄９を３回押圧し、このとき、コントローラ２は前記モード欄９又は８８と同様なモード欄９５を表示し、かつ、このモード欄９５に対するタッチ領域の設定を行い、さらに、コントローラ２は、クリア／ストップ欄１０２を、前記複写モードの場合と同様な動作のもとに表示すると共に、クリア／ストップ欄１０２に対するタッチ領域の設定を行い、このスキャナモードにおいても、モード欄９５、クリア／ストップ欄１０２は、それぞれ複写モードにおける対応する各欄と同一の位置に設定されるので、オペレータの認識が容易で操作効率が向上する、（上記シ、ス参照。）
複合機器１。」
（３） 引用文献３の記載
　原査定の拒絶の理由において引用された、特開２０１０−８６２２６号公報（以下、「引用文献３」という。）には、【図３】とともに、段落【００５２】、【００５６】、【００５９】に、以下のとおり記載されている（下線は当審で追加。）。
「【００５２】
　図３は、ＰＣ１０の表示装置１８に表示されるＲＳＳリスト設定画面６０の一例を示す図である。この
ＲＳＳリスト設定画面６０は、外部デバイスへのＲＳＳサイト情報の追加登録がユーザにより命令された場合に表示される画面
追加登録先のデバイスとして、複合機４０が指定された場合
「【００５６】
　さらに、
ＲＳＳリスト設定画面６０には、
クリアボタン６８、
が設けられる。
デバイスＲＳＳリスト６１内のＲＳＳサイト情報が未選択の状態では、クリアボタン６８はグレーアウトし、押下が禁止される。
図３においては、グレーアウトした状態にある
クリアボタン６８を破線で図示している。
「【００５９】
　
クリアボタン６８は、ＲＳＳサイト情報のクリア命令を入力するためのボタンである。デバイスＲＳＳリスト６１に表示されたＲＳＳサイト情報のうち、いずれかがユーザにより選択されると、このクリアボタン６８のグレーアウトが解除され、押下することが可能となる。
　以上の記載より、引用文献３には、
「複合機へのＲＳＳサイト情報の追加登録を行うＲＳＳリスト設定画面６０において、デバイスＲＳＳリスト６１内のＲＳＳサイト情報が未選択の状態では、クリアボタン６８はグレーアウトし、押下が禁止され、デバイスＲＳＳリスト６１に表示されたＲＳＳサイト情報のうち、いずれかがユーザにより選択されると、このクリアボタン６８のグレーアウトが解除され、押下することが可能となる、ＲＳＳリスト設定画面６０。」
が記載されているといえる。
（４） 引用文献４の記載
　原査定の拒絶の理由において引用された、特開２００３−２４１９５４号公報（以下、「引用文献４」という。）には、【図２】、【図８】とともに、段落【００４４】−【００４５】、【００５５】に、以下のとおり記載されている（下線は当審で追加。）。
「【００４４】操作部１２１は、液晶表示部と液晶表示部上に張り付けられたタッチパネル入力装置と、複数個のハードキー等で構成することできる。タッチパネルまたはハードキーにより入力された信号は、パネルインターフェース１１５を介してＣＰＵ１０１に伝えられる。また、液晶表示部はパネルインターフェース１１５から送られてきた画像データを表示する。
液晶表示部は、本画像形成装置の操作に関連する機能
を表示する。
【００４５】
図２は、操作部１２１の一構成例を詳細に示した図
液晶表示部２０１は、各種機能表示やデータ表示、あるいはユーザからの入力を受け付ける部分であり、ユーザと双方向の情報交換を行う
「【００５５】ステップＳ５０３では、ＣＰＵ１０１が、ユーザにより別カウンタの設定キー７０１が押し下げられたことを検出すると、
図８に示される別カウンタの設定選択画面を液晶表示部２０１に表示させる。
別カウントモードの解除キー８０３は、復旧・試験モード又は試用期間モードが実行中である場合に、それを解除し通常状態へ移行するためのキーである
通常状態４０１において、この画面が呼び出された場合は、ＣＰＵ１０１は、図８に示されるように解除キー８０３をグレーアウト表示し、押し下げ不能とする。
　以上の記載より、引用文献４には、
「画像処理装置の操作に関連する機能を表示しユーザからの入力を受け付ける液晶表示部２０１であって、別カウンタの設定選択画面を表示させる際に、別カウントモードの解除キー８０３は、復旧・試験モード又は試用期間モードが実行中である場合に、それを解除し通常状態へ移行するためのキーであり、通常状態４０１において、この画面が呼び出された場合は、ＣＰＵ１０１は、解除キー８０３をグレーアウト表示し、押し下げ不能とする、液晶表示部２０１。」
が記載されているといえる。
（５）対比
　本件補正発明と、上記引用発明を対比する。
ア　引用発明の「複合機器１」は、「複写（ＣＯＰＹ）モード」、「ファクシミリ送信モード」、「ファクシミリ受信モード」、「プリンタモード」、及び「スキャナモード」の各モードを備えており、「複写モード」に設定されている状態から、「モード欄９」を指で所定の回数だけ押圧することで、「ファクシミリ送信モード」、「プリンタモード」、及び、「スキャンモード」のモードを選択できるから、本件補正発明の「選択可能な複数の動作モードを持つ装置」に相当する。
　引用発明の「平面型ディスプレイ８ｂ」は、「複写（ＣＯＰＹ）モード」に設定されている場合に、「複写（ＣＯＰＹ）モードの入力操作情報及びこの入力操作情報に対応するキー入力位置を表示し」、また、「複写モード」以外の個々のモードにおいても、各種の表示を行うから、本件補正発明の「選択された動作モードに対応する情報を表示するための表示手段」に相当する。
　よって、引用発明の「平面型ディスプレイ８ｂ」を含む「複合表示及び入力装置８」は、本件補正発明の「選択可能な複数の動作モードを持つ装置に備えられ、選択された動作モードに対応する情報を表示するための表示手段を含む操作装置」に相当する。
イ　引用発明の「平面型ディスプレイ８ｂ」が、「コントローラ２」の制御により、「クリア／ストップ（Ｃ／Ｓ）欄１７」（または、クリア／ストップ欄６７、７５、９３、１０２）を表示することは、本件補正発明の「前記表示手段は、キャンセル機能及びストップ機能のトリガーとなるソフトウェアキーを表示」することに相当する。
ウ　引用発明の「コントローラ２」は、「メモリ２００から前記制御プログラムを取込み複合表示及び入力装置８の透明タッチパネル８ａに対するキー入力領域の設定及びキー入力信号の転送を行うと共に平面型ディスプレイ８ｂに対して後述するような各種の表示を行う制御手段としてのコントローラ２」であるから、本件補正発明の「表示手段の表示を制御する表示制御手段」に相当する。
　引用発明の「コントローラ２」の各モードにおける表示の制御は、
「複写（ＣＯＰＹ）モード」では、「
画像濃度欄１６の下側
縦５ｍｍ程度、横５ｍｍ以上の大きさ
「ファクシミリ送信モード」において、「クリア／ストップ欄６７による入力操作領域は複写モードにおけ
るクリア／ストップ欄１７による入力操作領域と同一の位置に設定される
「ファクシミリ受信モード」では、「
ストップ／クリア欄６７と同等の大きさ及び配置のクリア／ストップ欄７５の表示
「プリンタモード」では、「
クリア／ストップ欄１７と同様な大きさ及び配置状態
「スキャナモードにおいても、モード欄９５、
クリア／ストップ欄１０２は、それぞれ複写モードにおける対応する各欄と同一の位置
　よって、引用発明の「コントローラ２」は、「クリア／ストップ（Ｃ／Ｓ）欄」の「表示位置」については、「いずれの動作モードが選択された場合でも、前記ソフトウェアキーの表示位置」「を維持する」ものであるといえる。
　一方、引用発明の「コントローラ２」は、「クリア／ストップ（Ｃ／Ｓ）欄」の「表示サイズ」については、
・「複写（ＣＯＰＹ）モード」では、「縦５ｍｍ程度、横５ｍｍ以上の大きさ」であること、
・「ファクシミリ送信モード」と、「ファクシミリ受信モード」の２つのモード間では「同等の大きさ」であること、
・「複写（ＣＯＰＹ）モード」と「プリンタモード」の２つのモード間では「同様な大きさ」であること、
がそれぞれ特定されているものの、すべてのモードで「同等の大きさ」であることまでは特定されていない。
　したがって、引用文献１の「コントローラ２」は、本件補正発明の「前記操作装置はさらに、いずれの動作モードが選択された場合でも、前記ソフトウェアキーの
表示位置及び表示サイズ
表示位置
エ　引用発明の「コントローラ２は、画像濃度欄１６の下側に、クリア／ストップ（Ｃ／Ｓ）欄１７を縦５ｍｍ程度、横５ｍｍ以上の大きさで表示し、クリア／ストップ欄１７の全域にタッチ領域を設定し」ていることから、本件補正発明の「前記表示制御手段は、
選択された動作モードの状態がデフォルト状態である場合には、前記表示手段に対し、前記ソフトウェアキーを選択操作が不可能な状態で表示させ、選択された動作モードの状態が非デフォルト状態である場合には、
オ　以上のことから、本件補正発明と引用発明との一致点及び相違点は、次のとおりである。
［一致点］
「選択可能な複数の動作モードを持つ装置に備えられ、選択された動作モードに対応する情報を表示するための表示手段を含む操作装置であって、
　前記表示手段は、キャンセル機能及びストップ機能のトリガーとなるソフトウェアキーを表示し、
　前記操作装置はさらに、いずれの動作モードが選択された場合でも、前記ソフトウェアキーの表示位置を維持するように、前記表示手段の表示を制御する表示制御手段を含み、
　前記表示制御手段は、前記表示手段に対し、前記ソフトウェアキーを選択操作が可能な状態で表示させる、操作装置。」
［相違点１］
　ソフトウエアキーの「表示位置及び表示サイズ」の表示制御において、本件補正発明では、「前記操作装置はさらに、
いずれの動作モードが選択された場合でも
及び表示サイズ
［相違点２］
　本件補正発明では、「選択された動作モードの状態がデフォルト状態である場合には、前記表示手段に対し、前記ソフトウェアキーを選択操作が不可能な状態で表示させ、選択された動作モードの状態が非デフォルト状態である場合には、前記表示手段に対し、前記ソフトウェアキーを選択操作が可能な状態で表示させる」のに対し、引用発明は、選択された動作モードの状態がデフォルト状態である場合には、前記表示手段に対し、前記ソフトウェアキーを選択操作が不可能な状態で表示させ、選択された動作モードの状態が非デフォルト状態である場合には、前記表示手段に対し、前記ソフトウェアキーを選択操作が可能な状態で表示させることが特定されていない点。
（６）判断
ア　［相違点１］について
　一般に、ソフトウエアキー等の各種の操作キーを表示する場合、操作キーを適切な表示サイズで表示することは、当業者が、各操作キーの用途や操作性、視認性等を考慮して適宜選択すべき設計的事項である。
　よって、「ファクシミリ送信モード」と、「ファクシミリ受信モード」で「同等の大きさ」であり、また、「複写（ＣＯＰＹ）モード」と「プリンタモード」で「同様な大きさ」である、引用発明の「クリア／ストップ（Ｃ／Ｓ）欄」のキーについて、用途や操作性、視認性等を考慮して、さらに「スキャンモード」を含む各モードのすべてについて、「同等の大きさ」とすることによって、「前記操作装置はさらに、
いずれの動作モードが選択された場合でも
及び表示サイズ
イ　［相違点２］について
　上記（３）、（４）記載のとおり、引用文献３及び引用文献４には、「情報を選択する操作手段と、上記情報の選択を取り消す操作手段とを表示する場合に、情報が選択されていない状態では、上記情報の選択を取り消す操作手段をグレーアウト表示して操作できないことを表示し、一方、情報が選択されている状態では、上記情報の選択を取り消す操作手段のグレーアウトを行わずに操作が可能であることを表示する技術」が記載されており、当該技術は慣用技術であるといえる。
　そして、引用発明においても、動作モードが選択されて、選択された動作モードに対応する情報を最初に表示した時点では、通常、ユーザがソフトウェアキーによる情報の選択をまだ行っていない状態であるから、ユーザによる選択を取り消す必要が無いことは明らかであるといえる。
　よって、引用発明において、情報の選択をまだ行っていない当該状態において、上記慣用技術を適用することで、情報の選択を取り消す操作手段、つまり、「キャンセル機能及びストップ機能」のソフトウェアキーを、グレーアウト表示して操作できないことを表示する一方、ユーザが情報が選択を行った場合に、ソフトウエアキーのグレーアウトを行わずに通常の表示とすることで、操作が可能であることを表示することにより、上記［相違点２］に係る構成とすることは、当業者が容易に想到し得ることである。
ウ　まとめ
　そして、本件補正発明の奏する作用効果も、引用発明及び上記慣用技術から、当業者であれば予想できる範囲のものである。
　よって、本件補正発明は、引用発明及び上記慣用技術に基づき、当業者が容易に発明をすることができたものであるから、特許法第２９条第２項の規定により、独立して特許を受けることができない発明である。
３　むすび（本件補正についてのむすび）
　よって、本件補正は、特許法１７条の２第６項において準用する同法１２６条７項の規定に違反するので、同法１５９条１項の規定において読み替えて準用する同法５３条１項の規定により却下すべきものである。
　よって、上記補正の却下の決定の結論のとおり決定する。
第３　本願発明について
１　本願発明
　令和元年９月２０日にされた手続補正は、上記のとおり却下されたので、本願の請求項に係る発明は、平成３１年２月７日にされた手続補正により補正された特許請求の範囲の請求項１ないし５に記載された事項により特定されるものであるところ、その請求項１に係る発明（以下「本願発明」という。）は、その請求項１に記載された事項により特定される、前記第２［理由］１（２）に記載のとおりのものである。
２ 原査定の拒絶の理由
　原査定の拒絶の理由は、この出願の請求項１に係る発明は、本願の優先権主張の日前に頒布された下記の引用文献１に記載された発明、及び、慣用技術（例えば、（上記「引用文献３」である）特開２０１０−８６２２６号公報、及び、（上記「引用文献４」である）特開２００３−２４１９５４号公報等を参照。）に基づいて、その出願前にその発明の属する技術の分野における通常の知識を有する者が容易に発明をすることができたものであるから、特許法２９条２項の規定により特許を受けることができない、というものである。
　引用文献１：特開昭６３−２３１４６４号公報
３ 引用文献
　原査定の拒絶の理由で引用された引用文献１、及び、慣用技術を示す文献として例示された、（上記「引用文献３」である）特開２０１０−８６２２６号公報、及び、（上記「引用文献４」である）特開２００３−２４１９５４号公報の記載事項は、前記第２の［理由］２（２）、（３）及び（４）に記載したとおりである。
４　対比・判断
　本願発明は、前記第２の［理由］２で検討した本件補正発明から「表示サイズ」に係る限定事項を削除したものである。
　そうすると、本願発明の発明特定事項を全て含み、さらに他の事項を付加したものに相当する本件補正発明が、前記第２の［理由］２（５）、（６）に記載したとおり、引用発明及び慣用技術に記載された技術に基づいて、当業者が容易に発明をすることができたものであるから、本願発明も、引用発明及び慣用技術に記載された技術に基づいて、当業者が容易に発明をすることができたものである。
第４　むすび
　以上のとおり、本願発明は、特許法２９条２項の規定により特許を受けることができないから、他の請求項に係る発明について検討するまでもなく、本願は拒絶されるべきものである。
　よって、結論のとおり審決する。